(57)【要約】      （修正有）【課題】取付け作業の容易なかつ防犯に適した忍返しおよび該忍返しをとりつけたネットフエンスを提供する。【解決手段】上部に胴縁を形成している縦線材を所定間隔で配し、該縦線材に所要数の横線材を溶接等の固定手段で固定して組格してなるフエンス本体にとりつけられる忍返しであって、所定長さの棒材からなる基部の上部に剣先部を形成した第一忍返しと第二忍返しで構成される。フエンス本体の胴縁または胴縁の下方の縦線材の一面側に忍返しのボルト軸の挿通長孔を形成する上下一対の連結支持棒が当接された状態で、縦線材の他面側にネジ受具が当てがわれて、ボルトとネジ受具の締結によって忍返しをフエンス本体に固定する。【選択図】図１
0003141255.tif 000002
【実用新案登録請求の範囲】
【請求項１】
上部に胴縁を形成している縦線材を所定間隔で配し、該縦線材に所要数の横線材を溶接等の固定手段で固定して組格してなるフエンス本体にとりつけられる忍返しであって、該忍返しは所定長さの棒材からなる基部の上部に剣先部を形成した第一忍返し構成部材を所定間隔をもって所要数配設し、該構成部材の基部の下部には、止具のネジ部が挿通される間隔をもって上下一対の連結支持棒が溶接等の手段で連結されて、各第一忍返し構成部材間にボルト軸の挿通長孔が形成されており、さらに上記第一忍返し構成部材間には所定長さの棒材からなる基部の上部に剣先部を形成した１ないし数本の第二忍返し構成部材を、該構成部材の基部の下部の位置が上記の上下一対の連結支持棒より所定間隔を開けて上方に位置せしめて配設し、該第二忍返し構成部材の下部を、ならびに第一忍返し構成部材を、連結棒で連結し、さらに上記第一忍返し構成部材ならびに第二忍返し構成部材の所定高さ位置中間部を連結棒で連結して構成されており、該忍返しを上記フエンス本体にとりつけるに際しては、フエンス本体の胴縁または該胴縁の下方の縦線材の一面側に忍返しのボルト軸の挿通長孔を形成する上下一対の連結支持棒が当接された状態で、該縦線材の他面側にネジ受具が当てがわれて、ボルトとネジ受具の締結によって忍返しをフエンス本体に固定することを特徴とする忍返し。
【請求項２】
第２忍返し構成部材が両側に配設されることにより両側下部に開放空部を形成していることを特徴とする請求項１記載の忍返し。
【請求項３】
請求項１または請求項２記載の忍返しをフエンス本体にとりつけたことを特徴とする防犯用フエンス。
【考案の詳細な説明】
【技術分野】
【０００１】本考案は忍返し及び該忍返しをとりつけた防犯用フエンスを提供する。
【背景技術】
【０００２】従来上部に胴縁を形成している縦線材を所定間隔で配し、該縦線材に所要数の横線材を溶接等の固定手段で組格してなる通称、ネットフエンスと称するフエンス本体は公知である。
またこのネットフエンスの胴縁の、あるいはその下部の縦線材の一面側に忍返しの取付部が当接された状態で、該縦線材の他面側にネジ受具が当てがわれて、縦線材を忍返しの取付部とネジ受具に挟着した状態で、ボルトとネジ受具の締結によって忍返しをフエンス本体に固定することを特徴とする忍返し、並びに該忍返しをとりつけた防犯用フエンスは公知であり、本考案者も種々提案している。
【特許文献】  特開２００６−２９９７９１
【考案の開示】
【考案が解決しようとする課題】
【０００３】ところが上記従来の忍返しは、棒材または線材（以下棒材と言う）からなる忍返し構成部材を所定間隔たとえば５０ミリメートルをもって所要数配設し、該構成部材の基部の下部には止具のネジ部が挿通される間隔をもって上下一対の連結支持棒が溶接等の手段で連結されて、各忍返し構成部材間にボルト軸挿通長孔が形成されており、該忍返しをフエンス本体にとりつけるには胴縁または該胴縁の下方の縦線材の一面側に忍返しの取付部、つまりボルト軸挿通長孔を形成する上下一対の連結支持棒が当接された状態で、該縦線材の他面側にネジ受具が当てがわれて縦線材を連結支持棒とネジ受具の間に挟着した状態で、ボルトとネジ受具の締結によって忍返しをフエンス本体に固定している。【０００４】ところが上記構造ではボルト軸挿通長孔の長さは、忍返し構成部材の間隔そのものであり、その間隔はフエンス本体の縦線材の間隔に相当しているために、その間隔は５０ミリメートルから７０ミリメートル程度であり、以外に間隔が狭く、そのために施工時においてややもすると縦線材が挿通長孔の中間に位置した場合にボルトならびにネジ受具の長手方向の移動が阻止されて、縦線材へのネジ受具とボルトの締結ができないか、またそのために別の箇所で締結することとなり締結に余分の時間を費やすと言う問題点があった。【０００５】上記の問題点を解決するには忍返し構成部材間の間隔を広げることが考えられるが、間隔が広すぎるとその空間部からの犬、猫、いたち等の動物の侵入、または不法侵入者への心理的閉塞感を緩和することとなり、防犯用忍返しとしては好ましくない。
本考案は上記の問題点を解消している。
【課題を解決するための手段】
【０００６】本考案はつぎの特徴を備えている。
その一つは「上部に胴縁を形成している縦線材を所定間隔で配し、該縦線材に所要数の横線材を溶接等の固定手段で固定して組格してなるフエンス本体にとりつけられる忍返しであって、該忍返しは所定長さの棒材からなる基部の上部に剣先部を形成した第一忍返し構成部材を所定間隔をもって所要数配設し、該構成部材の基部の下部には、止具のネジ部が挿通される間隔をもって上下一対の連結支持棒が溶接等の手段で連結されて、各第一忍返し構成部材間にボルト軸の挿通長孔が形成されており、さらに上記第一忍返し構成部材間には所定長さの棒材からなる基部の上部に剣先部を形成した１ないし数本の第二忍返し構成部材を、該構成部材の基部の下部の位置が上記の上下一対の連結支持棒より所定間隔を開けて上方に位置せしめて配設し、該第二忍返し構成部材の下部を、ならびに第一忍返し構成部材を、連結棒で連結し、さらに上記第一忍返し構成部材ならびに第二忍返し構成部材の所定高さ位置中間部を連結棒で連結して構成されており、該忍返しを上記フエンス本体にとりつけるに際しては、フエンス本体の胴縁または該胴縁の下方の縦線材の一面側に忍返しのボルト軸の挿通長孔を形成する上下一対の連結支持棒が当接された状態で、該縦線材の他面側にネジ受具が当てがわれて、ボルトとネジ受具の締結によって忍返しをフエンス本体に固定することを特徴とする忍返し」である。【０００７】その二つは「上記構成の忍返しにおいて、第二忍返し構成部材が両側に配設されることを特徴とする忍返し」である。【０００８】その三つは「上記構成の忍返しをフエンス本体にとりつけたことを特徴とする防犯用フエンス」である。
【考案の効果】
【０００９】本考案の忍返しは第一忍返し構成部材間に１ないし数本の第二忍返し構成部材を形成することにより、従来公知の忍返し構成部材の間隔と同様の間隔で構成できるので、構成部材間隔を所定間隔に狭めており、犬、猫等動物の侵入を阻止できる。また不法侵入者の侵入しようとする心理的動揺を抑制することができるという効果がある。【００１０】さらに本考案の忍返しはボルト軸挿通長孔の長さが第一構成部材間の間隔となるので、従来の忍返しよりもボルト軸挿通長孔の長さが相当長くなり、よって忍返しをフエンス本体にとりつける際に、ネジ部およびネジ受具の挿通長孔へのとりつけ巾の自由度が大きくなり、縦線材を挟着して締結固定することが容易になる。従来は挿通長孔の長さが短いためにネジ受具の大きさが制限され、またフエンス本体の縦線材がボルト軸挿通長孔の中間に存在した場合にはその箇所での締結固定ができないので別の箇所に移さねばならないことがあったが、かかる欠点は解消される。【００１１】本考案の忍返しは両側に第二忍返し構成部材を１ないし数本配設し、両側下部に開放空部を形成しているので、フエンス本体の端部や中間部に位置する取付支柱の頂部がフエンス本体の胴縁よりも上方に多少突出していても、その箇所が開放空部の中に納められるので、施工に支障を来すことがない。
【考案を実施するための最良の形態】
【００１２】本考案の実施形態を図面を用いて以下に説明する。
図１〜図３は本考案の忍返しならびに該忍返しを有する防犯用フエンスの一実施例を示す。図１は忍返しの正面図。図２は同側面図ならびに防犯用フエンスの側面図、図３は止具の斜視図を示す。
１は忍返しで、該忍返しは、上部に胴縁８ａを形成している縦線材８ｂを所定間隔に配し、該縦線材に所要数の横線材８ｃを溶接等の固定手段で固定して組格してなるフエンス本体８（通称ネットフエンスとも言われる）に止具９を介してとりつけられる。【００１３】しかして該忍返しは所定長さの棒材からなる基部２ａの上部に剣先部２ｂを形成した第一忍返し構成部材１を、所定間隔をもって所要数配設し、該構成部材の基部の下部には止具のボルトのネジ部（ボルト軸）が挿通される間隔をもって上下一対の連結支持棒３が溶接等の手段で連結される。しかして各第一忍返し構成部材間にボルト軸の挿通長孔３ａが形成される。【００１４】さらに上記した第一忍返し構成部材間には所定長さの棒材からなる基部４ａの上部に剣先部４ｂを形成した一本ないし数本（図面では一本）の第二忍返し構成部材４を、該構成部材の基部の下部の位置が上記の上下一対の連結支持棒３より所定間隔開けて上方に位置せしめて配設して、該第二忍返し構成部材の下部を、ならびに第一忍返し構成部材を連結棒５で溶接等の手段で連結している。なおこの実施例では第一と第二の忍返し構成部材は、同一のデザインで基部の長さが異なるだけである。【００１５】さらに上記第一忍返し構成部材ならびに第二忍返し構成部材の所定高さ位置の中間部を連結棒７で溶接等の方法で連結している。
図示から明らかなように本実施例では第一忍返し構成部材と第二忍返し構成部材とは当間隔に配設してなり、かつ第二忍返し構成部材が両側に配設されており、両側下部に開放空部６が形成されている。【００１６】この開放空部はフエンス本体の端部または中間部に位置する取付支柱（不図示）の頂部がフエンス本体の胴縁よりも上方に多少突出していても、その箇所が開放空部の中に納められることとなり、忍返しの施工に支障を、煩わしさを来すことがない。従来ややもすればその箇所には忍返しを配設しないか、現場で特種加工を施して配設していた。【００１７】上記した本考案の忍返しをフエンス本体にとりつけるに際しては、図示のようにフエンス本体の胴縁８ａ（それの縦線材８ｂ）の一面側に忍返しのボルト軸の挿通長孔を形成する上下一対の連結支持棒３、３が当接された状態で、該縦線材の他面側に図３に示す止具９のネジ受具９ｂが当てがわれて、ボルト９ａとネジ受具９ｂの締結によって忍返しをフエンス本体に固定する。図２参照。
この止具ならびにこれの固定の仕方は公知のものとほぼ同様である。異なるのはボルト軸の挿通長孔の長さが、長く取っているので止具の長手方向の自由度が大きくなっており、また連結支持棒と連結棒の間に所定の間隔があるので従来より多少大きめのネジ受具をしようすることもでき、縦線材への止具の締結が確実に、容易にできる。【００１８】従来の忍返しはボルト軸の挿通長孔が短いので、所定間隔で多数配設されている縦線材の位置と、忍返しの挿通長孔の位置とに設計上のまたは施工上のばらつき等によって、ややもすれば止具の締結ができず、締結箇所を長手方向において別の箇所に移さねばならないという問題点があったがそれが解消できる。【００１９】図４は本考案忍返しの他の実施例を示し、忍返しのフエンス本体への取付部、つまり上下一対の連結支持棒３、３が胴縁の下方の縦線材８ｂに当接するように設計している。言わば図示のごとく第一忍返し構成部材ならびに第二忍返し構成部材の基部の下方を長くし、かつ形状も変更している。止具の締結固定手段は同じである。
以上本考案の実施例について説明したが、技術思想を逸脱しない限りの設計変更は可能である。
【図面の簡単な説明】
【００２０】
【図１】本考案忍返しの一実施例を示す正面図。
【図２】図１に示す忍返しの側面図ならびにフエンス本体への取り付け状態の側面図。
【図３】本考案忍返しをフエンス本体に締結固定する際の止具（ネジ受具、ボルト）の一実施例を示す斜視図である。
【符号の説明】
【００２１】１    忍返し
２    第一忍返し構成部材
２ａ  基部
２ｂ  剣先部
３    上下一対の連結支持棒
３ａ  挿通長孔
４    第二忍返し構成部材
４ａ  基部
４ｂ  剣先部
５    連結棒
６    開放空部
７    連結棒
８    フエンス本体
８ａ  胴縁        ８ｂ  縦線材        ８ｃ  横線材
９    止具
９ａ  ボルト      ９ｂ  ネジ受具
【図１】
0003141255.tif 000003
【図２】
0003141255.tif 000004
【図３】
0003141255.tif 000005
【図４】
0003141255.tif 000006
【手続補正書】
【提出日】平成20年2月12日(2008.2.12)
【手続補正１】
【補正対象書類名】明細書
【補正対象項目名】００２０
【補正方法】変更
【補正の内容】
【００２０】
【図１】  本考案忍返しの一実施例を示す正面図。
【図２】  図１に示す忍返しの側面図ならびにフエンス本体への取り付け状態の側面図。
【図３】  本考案忍返しをフエンス本体に締結固定する際の止具（ネジ受具、ボルト）の一実施例を示す斜視図である。
【図４】  本考案忍返しの他の実施例を示す側面図である。